(57)【要約】【課題】バックアップ電池で駆動するときの消費電流を低減する。【解決手段】商用電源５から電力の供給を受けて直流電源に電力を供給する電源７と、直流電源に電力を供給するバックアップ電池４と、時刻や設定状態を表示する液晶表示器１２と、液晶表示器１２に文字の表示とコントラストを設定する液晶駆動回路１１と、バックアップ電池４と電源７のどちらから電力の供給を受けているか判定する電源電圧判定回路１０と、液晶表示器１２のコントラストを設定する液晶駆動回路１１に接続された高抵抗の液晶駆動電圧分圧抵抗１３と、液晶駆動電圧分圧抵抗１３の各抵抗と並列に接続可能とするトランジスタ１５と低抵抗の液晶駆動電圧分圧抵抗１４と、電源電圧判定回路１０の判定に基づいてトランジスタ１５をＯＮもしくはＯＦＦする制御回路１とを設け、制御回路１はバックアップ電池４から電力の供給を受けているときはトランジスタ１５をＯＦＦするものである。【選択図】  図１
2013254054.tif 000002
【特許請求の範囲】
【請求項１】
商用電源から電力の供給を受けて直流電源に電力を供給する電源と、
前記直流電源に電力を供給するバックアップ電池と、
時刻や動作状況や設定状態を表示する液晶表示器と、
該液晶表示器に文字の表示とコントラストを設定する液晶駆動回路と、
前記バックアップ電池と前記電源のどちらから電力の供給を受けているか判定する電源電圧判定回路と、
前記液晶表示器のコントラストを設定する前記液晶駆動回路に接続された高抵抗の液晶駆動電圧分圧抵抗と、
該液晶駆動電圧分圧抵抗の各抵抗と並列に接続可能とするトランジスタと低抵抗の液晶駆動電圧分圧抵抗と、
前記電源電圧判定回路の判定に基づいて前記トランジスタをＯＮもしくはＯＦＦする制御回路とを設け、
該制御回路は前記バックアップ電池から電力の供給を受けているときは前記トランジスタをＯＦＦすることを特徴とする液晶表示装置。
【発明の詳細な説明】
【技術分野】
【０００１】
本発明は、停電などでバックアップ電池に切替わった時に、電池の寿命を長くすることができる液晶表示器を備えた液晶表示装置に関するものである。
【背景技術】
【０００２】
本技術分野の背景技術として、通常は商用電源から電力を供給し、停電時や移動などで商用電源から電力を供給できない場合のため、電池を搭載して、この電池から電力を供給して時計などの時刻表示をするのが一般的である。
【０００３】
そこで、特許文献１に示すように、商用電源から電力が供給されている状態と停電時などのバックアップ用の電池駆動状態とで、供給電圧の異なることにより、電源の切替え時に生じる表示への悪影響を無くしたものである。
【先行技術文献】
【特許文献】
【０００４】
【特許文献１】特開平１０−３０４５９５号公報
【発明の概要】
【発明が解決しようとする課題】
【０００５】
電源に商用電源とバックアップ電池を有する製品において、時計など常時表示を必要とする場合、バックアップ電池で駆動するときの消費電流を極力小さくするため、液晶駆動電圧分圧抵抗の値を極力大きくして消費電流を低減することが必要である。
【課題を解決するための手段】
【０００６】
上記問題を解決するために、商用電源から電力の供給を受けて直流電源に電力を供給する電源と、直流電源に電力を供給するバックアップ電池と、時刻や動作状況や設定状態を表示する液晶表示器と、該液晶表示器に文字の表示とコントラストを設定する液晶駆動回路と、前記バックアップ電池と前記電源のどちらから電力の供給を受けているか判定する電源電圧判定回路と、前記液晶表示器のコントラストを設定する前記液晶駆動回路に接続された高抵抗の液晶駆動電圧分圧抵抗と、該液晶駆動電圧分圧抵抗の各抵抗と並列に接続可能とするトランジスタと低抵抗の液晶駆動電圧分圧抵抗と、前記電源電圧判定回路の判定に基づいて前記トランジスタをＯＮもしくはＯＦＦする制御回路とを設け、該制御回路は前記バックアップ電池から電力の供給を受けているときは前記トランジスタをＯＦＦするものである。
【発明の効果】
【０００７】
本発明によれば、バックアップ電池で駆動される場合には、コントラストを下げることで消費電流を少なくし、より小型の電池でバックアップを可能にする。
【図面の簡単な説明】
【０００８】
【図１】本発明を用いた液晶表示装置の構成図の例である。
【発明を実施するための形態】
【０００９】
以下、図面を用いて実施例を説明する。  
図１は、本実施例の液晶表示装置の構成例を示すものである。  
５は商用電源である。６はプラグで、商用電源５から電源の供給を受けるためのものである。７は電源で、プラグ６を介して供給される電源を後述する制御回路１などに供給する電源となる直流５Ｖに変換するものである。４はバックアップ電池で、商用電源５からの電力の供給が途絶えた時に制御回路１などに電力を供給するものである。
【００１０】
８と９はダイオードで、電源の電流の流れや電圧が印加されるのを制限するものである。ここでは、商用電源５から電力が供給されている時は、ダイオード９によってバックアップ電池４に電流が流れるのを防止し、また、商用電源５からの電力の供給が途絶えた時には、ダイオード８によってバックアップ電池４の電流が電源７に流れるのを防止している。１０は電源電圧判定回路で、電力の供給元がバックアップ電池４か商用電源５かを検出するものである。
【００１１】
１２は液晶表示器で、時刻や機器の設定状態などを表示するものである。１１は液晶駆動回路で、液晶表示器１２に文字を表示したり、コントラストを設定したりするものである。液晶駆動回路１１は、ダイオード８を介して電源７に接続され、プラグ６が商用電源５に接続されている時には電源７より電源の供給を受ける。また、ダイオード９を介してバックアップ電池４にも接続され、プラグ６が商用電源５に接続されていない時には、バックアップ電池４で駆動される。
【００１２】
１は制御回路（ＣＰＵ）で、ＲＯＭ２、ＲＡＭ３、液晶駆動回路１１、及び後述するトランジスタ（商用電源時ＯＮ）１５のベースに制限抵抗を介して接続されており、ＲＯＭ２に書き込まれているプログラムによりＲＡＭ３、液晶駆動回路１１を制御して、液晶表示器（ＬＣＤ）１２に適宜表示を行う。また、制御回路（ＣＰＵ）１は、電源電圧判定回路１０を介して直流電源（ＶＤＤ）に接続されることにより、電源の供給元がバックアップ電池４か商用電源５かを検知することができる。
【００１３】
制御回路（ＣＰＵ）１は、電源電圧判定回路１０の判定信号により、商用電源５で駆動されていると判断した時には、最良のコントラストを確保するため、トランジスタ１５ａ〜１５ｃをＯＮさせて、低抵抗の液晶駆動電圧分圧抵抗１４ａ〜１４ｃを、高抵抗の液晶駆動電圧分圧抵抗１３ａ〜１３ｃの夫々に並列接続することにより、液晶表示器（ＬＣＤ）１２に明瞭な表示をさせることができる。
【００１４】
一方、制御回路（ＣＰＵ）１は、電源電圧判定回路１０からの判定信号により、バックアップ電池４で駆動されていると判断した時には、最低限のコントラストを確保するため、トランジスタ１５ａ〜１５ｃをＯＦＦさせて、高抵抗の液晶駆動電圧分圧抵抗１３のみを液晶駆動回路１１に接続することにより、バックアップ電池４の消費電流を低く抑えることができる。なお、バックアップ電池４で駆動されているときに用いるコントラストは、必ずしも最低限のコントラストである必要は無く、最良のコントラストよりも低いコントラストであれば良い。
【００１５】
上記した本実施例によれば、バックアップ電池で駆動される場合には、消費電流を少なく保つことができることにより、より小型の電池でバックアップが可能となる。
【符号の説明】
【００１６】
１  制御回路（ＣＰＵ）
２  ＲＯＭ
３  ＲＡＭ
４  バックアップ電池
５  商用電源
６  プラグ
７  電源
８、９  ダイオード
１０  電源電圧判定回路
１１  液晶駆動回路
１２  液晶表示器（ＬＣＤ）
１３  高抵抗の液晶駆動電圧分圧抵抗（電池電源時）
１４  低抵抗の液晶駆動電圧分圧抵抗（商用電源時）
１５  トランジスタ（商用電源時ＯＮ）
【図１】
2013254054.tif 000003